(57)【要約】      （修正有）【課題】キャッチ本体に設けられた装飾体のベース部が良く見えるように露出形態とされ、装飾体が弾性部材から抜けることがない抜けない形態を実現するとともに装飾体を薄く小さいものにできるピアスのピンキャッチを提供する。【解決手段】弾性部材２、この弾性部材２に設けられたピンを弾性挟持する弾性部材ピン挿入孔５とからなるキャッチ本体６と、ピンが挿入されるベース部ピン挿入孔を有するベース部８、このベース部８から立ち上げられた立ち上がり部９ａ、９ｂ、この立ち上がり部９ａ、９ｂに設けられた孔形態の掛かり部位１０とからなる装飾体１１とからなっている。【選択図】図１
0003180345.tif 000002
【実用新案登録請求の範囲】
【請求項１】
シリコンゴム製弾性部材、ポリプロピレンなどの合成樹脂製弾性部材からなる弾性部材、この弾性部材に設けられたピアスのピンが挿入され、該ピンをその弾性力によって弾性挟持する弾性部材ピン挿入孔とからなるキャッチ本体と、
前記ピアスのピンが挿入されるベース部ピン挿入孔を有する前記弾性部材よりも小径のベース部、このベース部から立ち上げられた前記弾性部材内に位置される複数の立ち上がり部、この立ち上がり部に設けられた孔形態の掛かり部位とからなる硬質性部材の装飾体とからなるとともに、
前記キャッチ本体を形成する型内に前記装飾体がセットされた状態で、前記型内に前記弾性部材が充填されて前記キャッチ本体と前記装飾体が一体化され、
この一体化によって、前記ベース部ピン挿入孔が前記弾性部材ピン挿入孔と前記ピアスのピンの挿入方向を同一にし、前記ベース部がよく見える露出形態とされ、かつ、前記立ち上がり部および前記掛かり部位が前記弾性部材によって密着覆われた立ち上がり部密着覆い形態および孔充填形態とされ、この孔部充填形態によって前記掛かり部位が前記弾性部材に掛かり抜けないように機能するようにしてなることを特徴とするピアスのピンキャッチ。
【請求項２】
掛かり部位が凹み部ないし凸部位によって形成される顎形態であり、立ち上がり部および前記掛かり部位が前記弾性部材によって密着覆われた立ち上がり部密着覆い形態とされ、この立ち上がり部密着覆い形態によって前記掛かり部位が前記弾性部材に掛かり抜けないように機能するようにしてなることを特徴とする請求項１記載のピアスのピンキャッチ。
【請求項３】
キャッチ本体にピアスのピンをベース部に誘い案内するすり鉢形状凹み形態の誘い凹み部が設けられ、この誘い込部の底部に前記ベース部が設けられてなることを特徴とする請求項１、２のいずれか１項に記載のピアスのピンキャッチ。
【請求項４】
装飾体が金やプラチナからなる貴金属性部材であることを特徴とする請求項１、２、３のいずれか１項に記載のピアスのピンキャッチ。
【請求項５】
装飾体が王冠形態であることを特徴とする請求項１〜４のいずれか１項に記載のピアスのピンキャッチ。
【考案の詳細な説明】
【技術分野】
【０００１】
本考案は、ピアスのピンキャッチに関するものである。
【背景技術】
【０００２】
従来、ピアスのピンが挿入されるピン挿通孔３（弾性部材ピン挿入孔）を有した弾性材料２（キャッチ本体）の一端に、ピン挿通孔３（弾性部材ピン挿入孔）と合致するピン挿通用ガイド孔５（ベース部ピン挿入孔）を有する金属板４（装飾体）の基板部１１（ベース部）を露出形態で当接するとともに、金属板４（装飾体）の側縁から弾性材料２（キャッチ本体）の左右側面に露出形態で沿って延長した挟着片６、６の先端を内向きに折り返して折り返し部７、７を形成し、その折り返し部７、７を弾性材料２（キャッチ本体）の側面に食い込ませてなるピアス用止金具（ピアスのピンキャッチ）が知られている。（例えば、特許文献１。）
【０００３】
金属板４（装飾体）の折り返し部７、７を弾性材料２（キャッチ本体）の外側から側面に食い込ませて、外れないようにした形態であるので、弾性材料２（キャッチ本体）から金属板４（装飾体）が外れないように支持しているのは折り返し部７、７の弾性材料２（キャッチ本体）への食い込み部分だけである。
そうすると、金属板４（装飾体）が強く引っ張られたりする、弾性材料２（キャッチ本体）と折り返し部７、７の間に隙間が生じかつ挟着片６、６が開いてしまい、外れる危険性が強いという欠点を有するものである。
また、金属板４（装飾体）を変形しない強さにしなければならず、かつ、弾性材料２（キャッチ本体）の外側の半分を覆う形態であるために大きくならざるをえないもとなり、その結果、その板厚を厚くし、大きさも大きくなり、かつ重量の重いものになってしまい、金属板４（装飾体）が金やプラチナなどの高価な貴金属である場合、極めて高価なものになるという欠点を有するものであった。
【先行技術文献】
【特許文献】
【０００４】
【特許文献１】特開2001-54413
【考案の概要】
【考案が解決しようとする課題】
【０００５】
本考案は、上述した従来技術の欠点に鑑みてなされたもので、キャッチ本体に設けられた装飾体のベース部が良く見えるように露出形態とされ、装飾体が弾性部材から抜けない形態を実現しするとともに、前記露出形態と前記抜けない形態を維持しながら装飾体を薄く小さいものにできるピアスのピンキャッチを提供することを目的としている。
【課題を解決するための手段】
【０００６】
上述した従来技術の欠点を解消するために本考案は次に述べるような構成となっている。
＜請求項１記載の考案＞
シリコンゴム製弾性部材、ポリプロピレンなどの合成樹脂製弾性部材からなる弾性部材、この弾性部材に設けられたピアスのピンが挿入され、該ピンをその弾性力によって弾性挟持する弾性部材ピン挿入孔とからなるキャッチ本体と、
前記ピアスのピンが挿入されるベース部ピン挿入孔を有する前記弾性部材よりも小径のベース部、このベース部から立ち上げられた前記弾性部材内に位置される複数の立ち上がり部、この立ち上がり部に設けられた孔形態の掛かり部位とからなる硬質性部材の装飾体とからなるとともに、
前記キャッチ本体を形成する型内に前記装飾体がセットされた状態で、前記型内に前記弾性部材が充填されて前記キャッチ本体と前記装飾体が一体化され、
この一体化によって、前記ベース部ピン挿入孔が前記弾性部材ピン挿入孔と前記ピアスのピンの挿入方向を同一にし、前記ベース部がよく見える露出形態とされ、かつ、前記立ち上がり部および前記掛かり部位が前記弾性部材によって密着覆われた立ち上がり部密着覆い形態および孔充填形態とされ、この孔部充填形態によって前記掛かり部位が前記弾性部材に掛かり抜けないように機能するようにしてなることを特徴とするピアスのピンキャッチである。
【０００７】
＜請求項２記載の考案＞
掛かり部位が凹み部ないし凸部位によって形成される顎形態であり、立ち上がり部および前記掛かり部位が前記弾性部材によって密着覆われた立ち上がり部密着覆い形態とされ、この立ち上がり部密着覆い形態によって前記掛かり部位が前記弾性部材に掛かり抜けないように機能するようにしてなることを特徴とする請求項１記載のピアスのピンキャッチである。
【０００８】
＜請求項３記載の考案＞
キャッチ本体にピアスのピンをベース部に誘い案内するすり鉢形状凹み形態の誘い凹み部が設けられ、この誘い込部の底部に前記ベース部が設けられてなることを特徴とする請求項１、２のいずれか１項に記載のピアスのピンキャッチである。
【０００９】
＜請求項４記載の考案＞
装飾体が金やプラチナからなる貴金属性部材であることを特徴とする請求項１、２、３のいずれか１項に記載のピアスのピンキャッチである。
【００１０】
＜請求項５記載の考案＞
装飾体が王冠形態であることを特徴とする請求項１〜４のいずれか１項に記載のピアスのピンキャッチである。
【考案の効果】
【００１１】
以上のような構成となっているので、本考案は次に述べるような効果を奏する。
＜請求項１記載の考案の効果＞
（１）よく見える露出形態で装飾体のベース部がキャッチ本体に設けられ、かつ、ベース部から立ち上がった立ち上がり部の孔形態である掛かり部位に弾性部材が孔充填形態とされているので、立ち上がり部が抜けようとしても掛かり部位が孔充填形態となっている弾性部材部位に掛かりその抜け移動が確実に阻止されるので、抜けない形態を実現している。
（２）前記（１）によって、立ち上がり部はキャッチ本体内に位置されるので、装飾体を可能な限り小さいものとでき、かつ、立ち上がり部が引っ張りに対して容易には切れない強度であれば十分であるので、装飾体の薄型化と小型化を可能にするという効果を奏する。
孔形態の掛かり部位によって、その分装飾体の使用材料を少なくできる。
よって、装飾体に金やプラチナなどの高価な貴金属を使用しても安価なものにできる。
（３）前記（１）、（２）によって、装飾体のベース部が良く見えるように露出形態とされ、装飾体が弾性部材から抜けない形態を実現しするとともに、前記露出形態と前記抜けない形態を維持しながら装飾体を薄く小さいものにできるピアスのピンキャッチを提供することを実現するという効果を奏する。
【００１２】
＜請求項２記載の考案の効果＞
掛かり部位が凹み部ないし凸部位によって形成される顎形態であり、立ち上がり部および前記掛かり部位が前記弾性部材によって密着覆われた立ち上がり部密着覆い形態とされ、この立ち上がり部密着覆い形態によって前記掛かり部位が前記弾性部材に掛かり抜けないように機能するようにしてなることを特徴とする請求項１記載のピアスのピンキャッチであるので、このような形態としても請求項１記載の考案と同様な効果を奏する。
【００１３】
＜請求項３記載の考案の効果＞
キャッチ本体にピアスのピンをベース部に誘い案内するすり鉢形状凹み形態の誘い凹み部が設けられ、この誘い込部の底部に前記ベース部が設けられてなることを特徴とする請求項１、２のいずれか１項に記載のピアスのピンキャッチであるので、請求項１、２のいずれか１項に記載の考案と同様な効果を奏するとともに、ベース部が小径でもすり鉢形状凹み形態の誘い凹み部に入ったピアスのピン先は確実にベース部に案内され、硬質性部材のベース部状を滑り動いて容易かつ速やかにベース部ピン挿入孔にたどり着き、弾性部材ピン挿入孔に案内されるという効果を奏する。
【００１４】
＜請求項４記載の考案の効果＞
請求項１、２、３のいずれか１項に記載の考案と同様な効果を奏する。
【００１５】
＜請求項５記載の考案の効果＞
装飾体が王冠形態であることを特徴とする請求項１〜４のいずれか１項に記載のピアスのピンキャッチであるので、請求項１〜４のいずれか１項に記載の発明と同様な効果を奏するとともに、小さなキャッチの中に王冠が入っていることによる、使用者にある種のステータス感、リッチ感、贅沢感などを与えるという効果を奏する。
【図面の簡単な説明】
【００１６】
【図１】本考案の実施例１を示す正面図および側面図。
【図２】本考案の実施例１を示す正面図中央断面図および装飾体の拡大展開平面図。
【図３】本考案の実施例１の使用状態図。
【図４】本考案の実施例２を示す斜視図。
【図５】本考案の実施例３を示す斜視図。
【図６】本考案の実施例４を示す斜視図。
【考案を実施するための形態】
【００１７】
以下、本考案を実施するための最良の形態である実施例について説明する。但し、本考案をこれら実施例のみに限定する趣旨のものではない。また、後述する実施例の説明に当って、前述した実施例の同一構成部分には同一符号を付して重複する説明を省略する。
【実施例１】
【００１８】
図１ないし図３は本考案の実施例１であって、ピアスのピンキャッチ１は次に述べるような構成となっている。
シリコンゴム製弾性部材、ポリプロピレンなどの透明合成樹脂製弾性部材からなる弾性部材２、この弾性部材２に設けられたピアス３のピン４が挿入され、該ピン４をその弾性力によって弾性挟持する弾性部材ピン挿入孔５とからなるキャッチ本体６と、
前記ピアス３のピン４が挿入されるベース部ピン挿入孔７を有する前記弾性部材２よりも小径のベース部８、このベース部８から立ち上げられた前記弾性部材２内に位置される対抗二つの立ち上がり部９ａ、９ｂ、この立ち上がり部９ａ、９ｂに設けられた孔形態の掛かり部位１０とからなる硬質性部材（金属、貴金属、チタンなどの機能性金属、硬質性合成樹脂、セラミックスなど。）の装飾体１１とからなるとともに、
前記キャッチ本体６を形成する型内（図示せず省略）に前記装飾体１１がセットされた状態で、前記型内に前記弾性部材２が充填されて前記キャッチ本体６と前記装飾体１１が一体化され、
この一体化によって、前記ベース部ピン挿入孔７が前記弾性部材ピン挿入孔５と前記ピアス３のピン４挿入線を同一にし、前記ベース部８がよく見える露出形態とされ、かつ、前記立ち上がり部９ａ、９ｂおよび前記掛かり部位１０、１０が前記弾性部材２によって密着覆われた立ち上がり部密着覆い形態および孔充填形態とされ、この孔部充填形態によって前記掛かり部位１０、１０が前記弾性部材２に掛かり抜けないように機能するようにしてなることを特徴としている。
【００１９】
キャッチ本体６にピアス３のピン４をベース部８に誘い案内するすり鉢形状凹み形態の誘い凹み部１２が設けられ、この誘い込部１２の底部に前記ベース部８が露出形態で設けられている。
１３はスリットである。
【００２０】
キャッチ本体６は、直径５．３ｍｍ（横幅）、高さ４．０ｍｍである。
装飾体１１は１８金製部材からなっていて、肉厚０．０５ｍｍ、ベース部８の直径は１．９ｍｍ、立ち上がり部９ａ、９ｂの幅は０．９ｍｍ、立ち上がり部９ａ、９ｂの高さは１．０ｍｍ、掛かり部位１０の孔直径は０．５ｍｍである。
【００２１】
弾性部材２は透明部材、半透明部材、非透明部材、カラー部材など多様な色彩、透明度（非透明を含む）のものが使用できる。
【実施例２】
【００２２】
図４に示す本考案の実施例２において、前記実施例１と主に異なる点は、装飾体を、立ち上がり部９ａ、９ｂと同じ形態の立ち上がり部９ｃ、９ｄを設けて４つの立ち上がり部とした装飾体１５としたピアスのピンキャッチ１６を形成した点にある。
装飾体１５のその形状はある種の王冠をイメージさせるものである。
立ち上がり部９ａ〜９ｃの三つとしてもよいし、９ａ〜９ｅの五つ、９ａ〜９ｆの六つとするのもよい。
【実施例３】
【００２３】
図５に示す本考案の実施例３において、前記実施例１と主に異なる点は、装飾体を、立ち上がり部１７の側面両側を凹み形態として形成した顎形態の掛かり部１８を有する装飾体１９としたピアスのピンキャッチ２１を形成した点にある。
【実施例４】
【００２４】
図６に示す本考案の実施例４において、前記実施例１と主に異なる点は、装飾体をある種の王冠をイメージさせる装飾体２２としたピアスのピンキャッチ２３を形成した点にある。
装飾体２２は、ベース部８から上方広がり円筒形態の第１立ち上がり部２４が立ちあげられ、この第１立ち上がり部２４から側部が湾曲の三角形の第２立ち上がり部２５ａ〜２５ｅが同間隔で立ち上げられ、第２の立ち上がり部２５ａ〜２５ｅの頂部には該第２立ち上がり部２５ａ〜２５ｅの間に顎形態に掛かり部位１０を形成してなる円板形態の頂点飾り２６（星形、ダイヤ形、クローバー形、スペード形など多様な形態がある）が形成されている。
王冠形態には多様な形態があるものである。
キャッチ本体６は横幅が約３ｍｍ〜約９ｍｍ程度、好ましくは約３．５ｍｍ〜約６ｍｍ程度、より好ましくは約３ｍｍ〜約５ｍｍ程度とするのがよい。
【産業上の利用可能性】
【００２５】
本考案は、ピアスを使用する産業で利用される。
【符号の説明】
【００２６】
１：ピアスのピンキャッチ、
２：弾性部材、
３：ピアス、
４：ピン、
５：弾性部材ピン挿入孔、
６：キャッチ本体、
７：ベース部ピン挿入孔、
８：ベース部、
９ａ、９ｂ、９ｃ、９ｄ：立ち上がり部、
１０：掛かり部位、
１１：装飾体、
１２：誘い込部、
１３：スリット、
１５：装飾体、
１６：ピアスのピンキャッチ、
１７：立ち上がり部、
１８：掛かり部、
１９：装飾体、
２０：ピアスのピンキャッチ、
２２：装飾体、
２３：ピアスのピンキャッチ、
２４：第１立ち上がり部、
２５ａ〜２５ｅ：第２立ち上がり部、
２６：頂点飾り。
【図１】
0003180345.tif 000003
【図２】
0003180345.tif 000004
【図３】
0003180345.tif 000005
【図４】
0003180345.tif 000006
【図５】
0003180345.tif 000007
【図６】
0003180345.tif 000008